(57)【特許請求の範囲】
【請求項１】
利用者から預けられる洗濯物を収納可能な洗濯物収納部と、洗濯物収納部に設けられた洗濯物投入口を開閉する開閉扉と、所定の店舗情報が記憶された記憶手段と、所定の情報を記憶したカードを読み取るカード情報読取手段と、カード情報読取手段によって読み取られた利用者用カードの店舗情報及び利用者情報に基づいて利用の可否を判定する判定手段とを備え、判定手段によって利用可能と判定されると開閉扉を開放するようにしたクリーニングボックスにおいて、
任意の店舗情報を記憶した店舗情報設定用カードをカード情報読取手段によって読み取ることにより、前記記憶手段の店舗情報を店舗情報設定用カードの店舗情報に書き換える店舗情報書換手段と、
利用者用カードの情報を読み取る利用者情報読取モードを店舗情報設定用カードの店舗情報を読み取る店舗情報読取モードに切換可能な読取モード切換スイッチとを備えた
ことを特徴とするクリーニングボックス。
【請求項２】
前記記憶手段の店舗情報を印刷物として出力可能な店舗情報出力手段を備えた
ことを特徴とする請求項１記載のクリーニングボックス。
【請求項３】
利用者から預けられた洗濯物の預かり票を印刷するプリンタを備え、
前記店舗情報出力手段をプリンタによって店舗情報を出力するように構成した
ことを特徴とする請求項２記載のクリーニングボックス。
【請求項４】
前記開閉扉を開放する扉駆動手段と、
利用者から預けられた洗濯物の預かり票を印刷するプリンタと、
開閉扉の開閉動作に連動させて預かり票を印刷する第１の受付モードを開閉扉の開閉動作に連動させずに預かり票を印刷する第２の受付モードに切換可能な受付モード切換手段とを備えた
ことを特徴とする請求項１、２または３記載のクリーニングボックス。
【発明の詳細な説明】
【技術分野】
【０００１】
本発明は、例えばコンビニエンスストア等の店舗に設置され、来店客の洗濯物を預かるためのクリーニングボックスに関するものである。
【背景技術】
【０００２】
一般に、洗濯物の引受け及び仕上品の引渡しを人手によって行うクリーニング店を利用する場合には、クリーニング店の営業時間内に来店しなければならないが、利用者の都合上、所定の営業時間内に来店することができず、クリーニング店の利用に不便を来していた。
【０００３】
そこで、利用者が任意に洗濯物を投入可能な洗濯物収納部と、洗濯済みの仕上品を収納する仕上品収納部とを備えたクリーニングボックスをコンビニエンスストア等の店舗に設置し、利用者が洗濯物収納部に洗濯物を投入すると、洗濯業者が洗濯物を回収してクリーニング工場で洗濯した後、洗濯済みの仕上品を仕上品収納部に収納し、利用者が仕上品を仕上品収納部から任意に受け取れるようにしたものが知られている（例えば、特許文献１参照。）。
【０００４】
また、前記クリーニングボックスを用いたクリーニングサービスにおいては、会員登録した利用者のみが利用できるように会員カードを発行しており、利用者はカードをクリーニングボックスのカード挿入口に挿入し、カード情報に基づいて利用可能と判定された場合に利用可能となる。即ち、前記クリーニングボックスでは、カードが挿入されて利用可能になると、洗濯物投入口の開閉扉のロックが解除され、利用者によって開閉扉が開放可能となる。
【特許文献１】特開２００４−１９２４３６号公報
【発明の開示】
【発明が解決しようとする課題】
【０００５】
ところで、前記クリーニングボックスでは、設置される店舗の情報が所定の記憶部に記憶されるとともに、利用者のカードにも店舗情報が記憶されており、利用者用カードの店舗情報が利用店の店舗情報と一致した場合のみ利用可能と判定するようになっている。また、店舗名が変更されたり、或いは他の店舗に移設した場合など、店舗情報を再設定する必要が生じた場合には、パーソナルコンピュータ等の端末機器を用いて店舗情報を書き換えるようにしている。しかしながら、店舗情報の設定作業に端末機器を用いる場合には、店舗に端末機器を持ち込まなれればならないため、端末機器の紛失や破損のおそれがある。このため、設定作業においては端末機器の管理にも注意を払わなければならず、作業性を低下させるという問題点があった。
【０００６】
本発明は前記問題点に鑑みてなされたものであり、その目的とするところは、店舗情報を変更する場合でも、設定用の端末機器を用いることなく容易に店舗情報を設定することのできるクリーニングボックスを提供することにある。
【課題を解決するための手段】
【０００７】
本発明は前記目的を達成するために、利用者から預けられる洗濯物を収納可能な洗濯物収納部と、洗濯物収納部に設けられた洗濯物投入口を開閉する開閉扉と、所定の店舗情報が記憶された記憶手段と、所定の情報を記憶したカードを読み取るカード情報読取手段と、カード情報読取手段によって読み取られた利用者用カードの店舗情報及び利用者情報に基づいて利用の可否を判定する判定手段とを備え、判定手段によって利用可能と判定されると開閉扉を開放するようにしたクリーニングボックスにおいて、任意の店舗情報を記憶した店舗情報設定用カードをカード情報読取手段によって読み取ることにより、前記記憶手段の店舗情報を店舗情報設定用カードの店舗情報に書き換える店舗情報書換手段と、利用者用カードの情報を読み取る利用者情報読取モードを店舗情報設定用カードの店舗情報を読み取る店舗情報読取モードに切換可能な読取モード切換スイッチとを備えている。
【０００８】
これにより、記憶手段の店舗情報が店舗情報設定用カードから読み取られた店舗情報に書き換えられることから、設定用の端末機器を用いることなく店舗情報を設定することが可能となる。この場合、読取モード切換スイッチによって利用者情報読取モードから店舗情報読取モードに切換えると、カード情報読取手段によって店舗情報設定用カードの店舗情報が読み取られることから、読取モードの切換操作とカードの挿入操作のみによって店舗情報の設定を行うことができる。
【発明の効果】
【０００９】
本発明のクリーニングボックスによれば、設定用の端末機器を用いることなく容易に店舗情報を設定することができるので、例えば紛失や破損のおそれのあるパーソナルコンピュータ等の設定用端末機器を店舗に持ち込む必要がなく、端末機器の管理に注意を奪われて作業性を低下させるといった不具合を解消することができる。この場合、読取モード切換スイッチによって利用者情報読取モードから店舗情報読取モードに切換えることにより、読取モードの切換操作とカードの挿入操作のみによって店舗情報の設定を行うことができるので、設定作業を極めて容易に行うことができる。
【発明を実施するための最良の形態】
【００１０】
図１乃至図１１は本発明の一実施形態を示すもので、図１はクリーニングボックスの正面図、図２はその斜視図、図３は洗濯物収納部の側面断面図、図４は仕上品収納部の側面断面図、図５は扉駆動機構の側面図、図６はその動作を示す側面図、図７は制御系を示すブロック図、図８乃至図１１は制御部の動作を示すフローチャートである。
【００１１】
このクリーニングボックスは、コンビニエンスストア等の店舗内に設置可能に形成されたクリーニングボックス本体１０を備え、クリーニングボックス本体１０は、利用者の洗濯物Ａを収納する洗濯物収納部２０と、洗濯済みの仕上品Ｂを収納する仕上品収納部３０とを一体に有している。
【００１２】
洗濯物収納部２０はクリーニングボックス本体１０の幅方向一端側に配置され、その上面は前方に向かって下り傾斜をなすように形成されている。洗濯物収納部２０の上面には洗濯物投入口２０ａが設けられ、洗濯物投入口２０ａは開閉扉２１によって開閉するようになっている。開閉扉２１は後端を支軸２１ａを介してクリーニングボックス本体１０に回動自在に支持され、その後端側には開閉扉２１を駆動する扉駆動機構２２が連結されている。
【００１３】
扉駆動機構２２は、開閉扉２１の後端に設けた連結部２１ｂに一端側を回動自在に連結された第１のリンク２２ａと、一端側を第１のリンク２２ａの他端側に回動自在に連結された第２のリンク２２ｂと、第２のリンク２２ｂの他端側に連結されたモータ２２ｃとからなり、図６に示すようにモータ２２ｃによって第２のリンク２２ｂを回転させることにより、第２のリンク２２ｂに連動する第１のリンク２２ａによって開閉扉２１を回動させるようになっている。即ち、各リンク２２ａ，２２ｂは、モータ２２ｃの一方向の回転運動を往復運動に変換して開閉扉２１を開放方向及び閉鎖方向に動作させるように構成されている。
【００１４】
洗濯物投入口２０ａの後端側及び前端側には、それぞれマイクロスイッチからなる扉開放検知器２３及び扉閉鎖検知器２４が設けられ、扉開放検知器２３は所定の全開位置まで回動した開閉扉２１に接触することにより開閉扉２１の開放を検知し、扉閉鎖検知器２４は所定の全閉位置まで回動した開閉扉２１に接触することにより開閉扉２１の閉鎖を検知するようになっている。また、洗濯物投入口２０ａの前方には、開閉扉２１を閉鎖するための扉閉鎖スイッチ２５が設けられている。扉閉鎖スイッチ２５には開閉扉２１の開閉動作異常を表示するための警報ランプ２６が一体に設けられ、警報ランプ２６は扉閉鎖スイッチ２５のスイッチボタンを点灯させるように設けられている。
【００１５】
洗濯物収納部２０の前面下部には洗濯物取出口２０ｂが設けられ、洗濯物取出口２０ｂは取出扉２７によって開閉するようになっている。取出扉２７には錠前２７ａが設けられ、錠前２７ａは専用の鍵によって手動で解錠されるようになっている。取出扉２７の上部には会員カードのカード情報を読み取るカードリーダ２８が設けられ、その前面にはカード挿入口２８ａが設けられている。また、カード挿入口２８ａの側方には洗濯物の預かり票及び店舗情報の設定内容を印刷するプリンタ２９が設けられている。
【００１６】
仕上品収納部３０はクリーニングボックス本体１０の幅方向他端側に配置され、その前面には仕上品受取口３０ａが設けられている。仕上品受取口３０ａは受取扉３１によって開閉するようになっており、受取扉３１の幅方向一端側はクリーニングボックス本体１０に回動自在に支持されている。受取扉３１には錠前３１ａが設けられ、錠前３１ａは図示しない専用の無線式リモートコントローラによって解錠されるようになっている。受取扉３１には仕上品収納部３０内を外部から透視可能な透視窓３１ｂが設けられ、透視窓３１ｂは透明板３１ｃによって覆われている。仕上品収納部３０内の上下方向複数箇所には仕上品Ｂを吊り下げ可能な仕上品保持部材３２が設けられ、各仕上品保持部材３２は両端を仕上品収納部３０内の両側面に固定された幅方向に延びるパイプ状部材からなる。
【００１７】
また、本実施形態のクリーニングボックスはマイクロコンピュータ構成の制御部４０を備え、制御部４０は扉駆動機構２２、扉開放検知器２３、扉閉鎖検知器２４、扉閉鎖スイッチ２５、警報ランプ２６、カードリーダ２８及びプリンタ２９に接続されている。制御部４０にはタイマ４１及び記憶部４２が接続され、記憶部４２には店舗名や店舗コード等の店舗情報が書き換え可能に記憶されている。また、制御部４０には操作部５０が接続されている。操作部５０は、例えば店舗のカウンタ内に配置されている。操作部５０は、利用者用カードの情報を読み取る利用者情報読取モードを店舗情報設定用カードの店舗情報の読み取る店舗情報読取モードに切換える読取モード切換スイッチ５１と、店舗情報の設定内容を印刷する設定内容印刷スイッチ５２と、開閉扉２１の開閉動作に連動させて預かり票を印刷する第１の受付モードを開閉扉２１の開閉動作に連動させずに預かり票を印刷する第２の受付モードに切換える受付モード切換スイッチ５３とを備えている。また、制御部４０は店舗情報書換手段としてのプログラムを含む。
【００１８】
以上のように構成されたクリーニングボックスは、例えばコンビニエンスストアの店舗内に設置され、コンビニエンスストアのクリーニングサービスに用いられる。このクリーニングサービスは会員制になっており、利用者がコンビニエンスストア等で会員登録の手続をすることにより、クリーニングサービスの利用情報や利用者及び利用店の識別情報等を記憶した会員カードが利用者に発行される。
【００１９】
前記クリーニングボックスを利用する場合には、来店した利用者がカード挿入口２８ａにカードを挿入し、任意の洗濯物Ａを洗濯物収納部２０に投入することにより、洗濯物Ａが洗濯物収納部２０に収納される。洗濯物収納部２０に収納された洗濯物Ａは、所定の洗濯業者によって定期的に回収される。この後、洗濯業者によって洗濯された仕上品Ｂが仕上品収納部３０内に収納され、利用者は店員に仕上品受取口３０ａの受取扉３１の錠前３１ａを解錠してもらい仕上品Ｂを受け取る。
【００２０】
ここで、図８のフローチャートを参照し、洗濯物投入時における制御部４０の動作を説明する。まず、利用者によってカードが挿入されると（Ｓ１）、カードリーダ２８によってカード情報を読み取り（Ｓ２）、カード情報（利用者情報及び店舗情報）に基づいて利用の可否を判定する（Ｓ３）。その際、利用不可と判定した場合はカードを返却する（Ｓ４）。また、利用可能と判定した場合は、扉駆動機構２２を開放方向に作動する（Ｓ５）。これにより、開閉扉２１が開放方向に回動し、扉開放検知器２３によって開閉扉２１の開放（全開）が検知されると（Ｓ６）、扉駆動機構２２を停止する（Ｓ７）。次に、利用者が洗濯物Ａの投入を完了した後、扉閉鎖スイッチ２５を操作すると（Ｓ８）、扉駆動機構２２を閉鎖方向に作動する（Ｓ９）。これにより、開閉扉２１が閉鎖方向に回動し、扉閉鎖検知器２４によって開閉扉２１の閉鎖（全閉）が検知されると（Ｓ１０）、扉駆動機構２２を停止した後（Ｓ１１）、洗濯物の仕上日や受付番号等を記録した預かり票をプリンタ２９によって印刷し（Ｓ１２）、カードを返却する（Ｓ４）。利用者は預かり票及びカードを受け取り、仕上日に再び来店して預かり票と引き替えに洗濯物の仕上品をカウンタで受け取る。即ち、前記動作は、開閉扉２１の開閉動作に連動させて預かり票を発行する第１の受付モードである。
【００２１】
また、前記クリーニングボックスにおいて、店舗名が変更されたり、或いは他の店舗に移設した場合など、店舗情報を再設定する必要が生じた場合には、新たな店舗情報を記憶した店舗情報設定用カードを用いて店舗情報の設定を行う。この場合、店舗情報設定用カードは、クリーニングサービスの管理センター等において予め必要な情報が書き込まれている。
【００２２】
即ち、制御部４０では、図９のフローチャートに示すように、読取モード切換スイッチ５１の操作により、利用者用カードの読取モードから店舗情報設定用カードの読取モードに切換えられると（Ｓ２０）、タイマ４１による計時を開始し（Ｓ２１）、所定時間Ｔ1 （例えば３０秒）が経過する前に（Ｓ２２）、カードが挿入されると（Ｓ２３）、カードリーダ２８によってカード情報を読み取る（Ｓ２４）。この場合、挿入されたカードが店舗情報設定用カードの場合は（Ｓ２５）、記憶部４２の店舗情報をカードの店舗情報に書き換えた後（Ｓ２６）、カードを返却する（Ｓ２７）。尚、前記ステップＳ２２においてカードの挿入が検知される前に、前記ステップＳ２３において時間Ｔ1 が経過した場合は、店舗情報設定用カードの読取モードを終了する。また、前記ステップＳ２５において、挿入されたカードが店舗情報設定用カードでない場合は、カードを返却し（Ｓ２７）、店舗情報設定用カードの読取モードを終了する。
【００２３】
前述のように店舗情報を再設定した後、制御部４０では、図１０のフローチャートに示すように、設定内容印刷スイッチ５２の操作により設定内容印刷モードに切換えられると（Ｓ２８）、プリンタ２９によって記憶部４２の店舗情報の設定内容を印刷する（Ｓ２９）。
【００２４】
また、前記クリーニングボックスにおいて、例えば開閉扉２１に異物が挟まった場合など、開閉扉２１の開閉動作異常により、開閉扉２１が正常に作動しなくなった場合は、開閉扉２１の開閉動作に連動させずに預かり票を発行する第２の受付モードに切換える。
【００２５】
即ち、制御部４０では、図１１のフローチャートに示すように、受付モード切換スイッチ５３の操作により、第１の受付モードから第２の受付モードに切換えられると（Ｓ３０）、タイマ４１による計時を開始し（Ｓ３１）、所定時間Ｔ2 （例えば３０秒）が経過する前に（Ｓ３２）、利用者用カードが挿入されると（Ｓ３３）、カードリーダ２８によってカード情報を読み取る（Ｓ３４）。この場合、カード情報（利用者情報及び店舗情報）に基づいて利用の可否を判定し（Ｓ３５）、利用可能と判定した場合は、預かり票をプリンタ２９によって印刷し（Ｓ３６）、カードを返却する（Ｓ３７）。尚、前記ステップＳ３３においてカードの挿入が検知される前に、前記ステップＳ３２において時間Ｔ2 が経過した場合は、第２の受付モードを終了する。また、前記ステップＳ３５において利用不可と判定された場合は、カードを返却し（Ｓ３７）、第２の受付モードを終了する。
【００２６】
このように、本実施形態のクリーニングボックスによれば、カードリーダ２８によって店舗情報設定用カードの店舗情報を読み取ることにより、記憶部４２の店舗情報を店舗情報設定用カードの店舗情報に書き換えるようにしたので、設定用の端末機器を用いることなく容易に店舗情報を設定することができる。従って、紛失や破損のおそれのあるパーソナルコンピュータ等の設定用端末機器を店舗に持ち込む必要がないので、端末機器の管理に注意を奪われて作業性を低下させるといった不具合を解消することができる。
【００２７】
この場合、読取モード切換スイッチ５１によって利用者情報読取モードから店舗情報読取モードに切換えることにより、カードリーダ２８によって店舗情報設定用カードの店舗情報を読み取るようにしたので、読取モードの切換操作とカードの挿入操作のみによって店舗情報の設定を行うことができ、設定作業を極めて容易に行うことができる。
【００２８】
また、記憶部４２の店舗情報の設定内容をプリンタ２９により印刷物として出力可能に構成したので、店舗情報の設定内容を印刷物によって容易に確認することができる。
【００２９】
この場合、店舗情報の設定内容を洗濯物の預かり票を印刷するプリンタ２９によって印刷するようにしたので、店舗情報出力用の機器を別途設ける必要がなく、構造の簡素化を図ることができる。
【００３０】
また、受付モード切換スイッチ５３により、開閉扉２１の開閉動作に連動させて預かり票を印刷する第１の受付モードを開閉扉２１の開閉動作に連動させずに預かり票を印刷する第２の受付モードに切換可能に構成したので、例えば開閉扉２１に異物が挟まった場合など、開閉扉２１が正常に作動しなくなった場合でも、店員が洗濯物を受け取って預かり票を手動で発行することができ、利用停止によるサービス性の低下を確実に防止することができる。
【図面の簡単な説明】
【００３１】
【図１】本発明の一実施形態を示すクリーニングボックスの正面図
【図２】クリーニングボックスの斜視図
【図３】洗濯物収納部の側面断面図
【図４】仕上品収納部の側面断面図
【図５】扉駆動機構の側面図
【図６】扉駆動機構の動作を示す側面図
【図７】制御系を示すブロック図
【図８】制御部の動作を示すフローチャート
【図９】制御部の動作を示すフローチャート
【図１０】制御部の動作を示すフローチャート
【図１１】制御部の動作を示すフローチャート
【符号の説明】
【００３２】
２０…洗濯物収納部、２０ａ…洗濯物投入口、２１…開閉扉、２２…扉駆動機構、２８…カードリーダ、２９…プリンタ、４０…制御部、５１…読取モード切換スイッチ、５２…設定内容印刷スイッチ、５３…受付モード切換スイッチ。
【図１】
0004672468.tif 000002
【図２】
0004672468.tif 000003
【図３】
0004672468.tif 000004
【図４】
0004672468.tif 000005
【図５】
0004672468.tif 000006
【図６】
0004672468.tif 000007
【図７】
0004672468.tif 000008
【図８】
0004672468.tif 000009
【図９】
0004672468.tif 000010
【図１０】
0004672468.tif 000011
【図１１】
0004672468.tif 000012